(57)【要約】【課題】  ユーザの鼻部と耳部との間の距離に合わせて良好に調整でき、これによりユーザの鼻部や耳部に違和感なくフィットさせることができる眼鏡フレームを提供する。【解決手段】  眼鏡フレーム１０は、側方に突出した突出部２１ａが先端部２１に形成されたテンプル２と、テンプル２の先端部２１を挿入する挿入穴４２が基端部４１に形成された先セル４とを備え、挿入穴４２には、テンプル２の先端部２１が挿入される際に該先端部２１における突出部２１ａを係止する係止部４２ａが該先端部２１の挿入量調整可能に形成されている。【選択図】  図２
0003107987.tif 000002
【実用新案登録請求の範囲】
【請求項１】
側方に突出した突出部が先端部に形成されたテンプルと、
前記テンプルの先端部を挿入する挿入穴が基端部に形成された先セルとを備え、
前記挿入穴には、前記テンプルの先端部が挿入される際に該先端部における前記突出部を係止する係止部が該先端部の挿入量調整可能に形成されていることを特徴とする眼鏡フレーム。
【請求項２】
前記先セルには、耳の裏側に当接可能な耳当て部材が着脱可能に設けられていることを特徴とする請求項１に記載の眼鏡フレーム。
【考案の詳細な説明】
【技術分野】
【０００１】
本考案は、眼鏡フレームに関する。
【背景技術】
【０００２】
眼鏡フレームは、前枠、テンプルや先セル等の部材が連結されて構成されている。例えば、眼鏡を購入する場合において、眼鏡を掛けた際に眼鏡フレームをユーザの鼻部や耳部に違和感なくフィットさせるという観点から眼鏡フレームはユーザの鼻部と耳部との間の距離に合わせて選択されることが好ましい。
【考案の開示】
【考案が解決しようとする課題】
【０００３】
しかしながら、従来の眼鏡フレームは、一般的には既製品のものが殆どであるため、ユーザの鼻部と耳部との間の距離に合わせた調整は困難である。例えば、前枠に取り付けられた鼻当て用のパッドを支持する支持部材や、前枠、テンプル等を歪めたりすることで、若干の調整は可能であるものの、このような調整には限界があり、十分な調整が行われていない。
【０００４】
本考案は、斯かる従来技術の問題点を解決するべくなされたものであり、ユーザの鼻部と耳部との間の距離に合わせて良好に調整でき、ひいてはユーザの鼻部や耳部に違和感なくフィットさせることができる眼鏡フレームを提供することを課題とする。
【課題を解決するための手段】
【０００５】
前記課題を解決するべく、本考案は、側方に突出した突出部が先端部に形成されたテンプルと、前記テンプルの先端部を挿入する挿入穴が基端部に形成された先セルとを備え、前記挿入穴には、前記テンプルの先端部が挿入される際に該先端部における前記突出部を係止する係止部が該先端部の挿入量調整可能に形成されていることを特徴とする眼鏡フレームを提供するものである。
【０００６】
本考案に係る眼鏡フレームによれば、前記テンプルの先端部において側方に突出した突出部が形成されており、前記先セルの基端部において前記テンプルの先端部を挿入する挿入穴が形成されており、前記挿入穴には、前記テンプルの先端部が挿入される際に該先端部における前記突出部を係止する係止部が該先端部の挿入量調整可能に形成されているので、前記テンプルの先端部が前記先セルの挿入穴に挿入される際にユーザの鼻部と耳部との間の距離に合う位置に前記テンプルの突出部を前記先セルにおける前記挿入穴の係止部に係止することができ、これにより、ユーザの鼻部と耳部との間の距離に合わせて良好に調整することができる。
【０００７】
本考案に係る眼鏡フレームにおいて、例えば、前記テンプルの前記突出部が形成される側とは反対側の側面から前記突出部の頂部までの距離は、前記先セルの前記挿入穴の、前記突出部を係止する方向のサイズより若干大きくなっていて、前記先セルの基端部における前記挿入穴に形成される前記係止部は、前記基端部において長手方向に沿って複数並設される係止孔部や係止凹部であることが好ましい。この場合、前記テンプル及び前記先セルのうち少なくとも一方が可撓性を有する材料からなっていることが好ましい。こうすることで、前記テンプルの前記先端部が前記先セルの前記挿入穴に挿入される際に、前記先端部の前記突出部が前記挿入穴の前記係止孔部や前記係止凹部に至るまでの間、前記テンプル及び前記先セルのうちの可撓性を有する方の部材が撓むことで、前記先端部が前記挿入穴内に入り込むことができる。なお、前記係止孔部間の距離や前記係止凹部間の距離は、前記テンプルの先端部の調整挿入量に応じて適宜設定することができる。前記テンプルの先端部に形成される前記突出部としては、前記先端部において側方に突き出る少なくとも一つの突起が長手方向に沿って並設される係合突起部を例示できる。
【０００８】
なお、本考案における「基端部」の語句は、眼鏡フレーム装着時において、各部材の前方側（眼の側）に位置する部分を意味し、「先端部」の語句は、各部材の後方側（耳の側）に位置する部分を意味する。
【０００９】
本考案に係る眼鏡フレームにおいて、前記先セルには、耳の裏側に当接可能な耳当て部材が着脱可能に設けられていることが好ましい。この場合、前記耳当て部材について、形状が互いに異なる複数の耳当て部材を予め用意しておくことで、該予め用意された複数の耳当て部材の中から、ユーザの耳の形状に合った耳当て部材を適宜選択することができる。
【考案の効果】
【００１０】
以上説明したように本考案によると、ユーザの鼻部と耳部との間の距離に合わせて良好に調整でき、ひいてはユーザの鼻部や耳部に違和感なくフィットさせることができる眼鏡フレームを提供することができる。
【考案を実施するための最良の形態】
【００１１】
以下、添付図面を参照しつつ、本考案の一実施形態について説明する。図１は本考案の実施形態に係る眼鏡フレーム１０の概略構成を示す斜視図である。
【００１２】
眼鏡フレーム１０は、図１に示すように、レンズを保持する前枠１と、該前枠１の両端からそれぞれ後方に延出する一対のテンプル２と、前枠１の両端部でテンプル２を開閉させるためのコマ部材３と、テンプル２の先端部に設けられた先セル４とを具備するものである。この眼鏡フレーム１０では、先セル４はテンプル２に対して着脱可能となっている。
【００１３】
図２は図１に示す眼鏡フレーム１０においてテンプル２から先セル４を取り外した状態の該先セル４、及び該テンプル２の先セル４側部分を示す概略拡大図であり、図２（Ａ）にその側面図を、図２（Ｂ）にその平面図を示す。
【００１４】
テンプル２は、本例では金属材料からなっており、先端部２１が後述する先セル４の挿入穴４２に挿入できるように、該先端部２１のサイズが該挿入穴４２のサイズより若干小さくなるように形成されている。この先端部２１には、図２に示すように、側方に突出した突出部２１ａが形成されている。さらに言えば、先端部２１において側方に突き出る少なくとも一つの（本例では一つの）突起が長手方向（図中Ｘ方向）に沿って並設される係合突起部２１ａが形成されている。そして、テンプル２の係合突起部２１ａが形成される側とは反対側の側面から係合突起部２１ａの頂部までの距離ｄ１は、先セル４の挿入穴４２の、係合突起部２１ａを係止する方向のサイズｄ２より若干大きくなっている。
【００１５】
先セル４は、基端部４１に前記した挿入穴４２を有している。挿入穴４２は、テンプル２の先端部２１を挿入するためのものであり、長手方向Ｘに沿って形成されている。この挿入穴４２には、テンプル２の先端部２１が挿入される際に該先端部２１における係合突起部２１ａを係止する係止部４２ａが該先端部２１の挿入量調整可能に形成されている。挿入穴４２における係止部４２ａは、本例では長手方Ｘ向に沿って複数（例えば、５個〜１０個程度）並設される係止孔部としている。
【００１６】
また、先セル４は、可撓性を有する部材（例えば樹脂材料）からなっている。従って、テンプル２の先端部２１が先セル４の挿入穴４２に挿入される際に、先端部２１の係合突起部２１ａが挿入穴４２の係止孔部４２ａに至るまでの間、先セル４が撓むことで、先端部２１が挿入穴４２内に入り込むことができる。なお、係止孔部４２ａ間の距離は、テンプル２の先端部２１の調整挿入量に応じて適宜設定することができる。テンプル２の先端部２１が先セル４の挿入穴４２に挿入される際の先端部２１の挿入量としては、それには限定されないが、１５ｍｍ〜２０ｍｍ程度を例示できる。ここで先端部２１の挿入量を１５ｍｍ程度とすれば、前枠１から先セル４の先端部までの距離ｄ（図１参照）を、例えば、１３５ｍｍ〜１５０ｍｍ程度の範囲で伸縮させるようにしてもよい。
【００１７】
また、係合突起部２１ａは、長手方向Ｘを横切る二つの係合面２１ａ’がいずれも長手方向Ｘにおける中央部Ｐに向けて傾斜している。このように二つの係合面２１ａ’が傾斜することで、テンプル２の先端部２１が先セル４の挿入穴４２に挿入される際に、係合突起部２１ａが挿入穴４２の内面に対して摺動性良好に相対移動でき、これにより該先端部２１を該挿入穴４２にスムーズに挿入することができる。
【００１８】
なお、本例では、先セル４をテンプル２に対して着脱可能にしてテンプル２の先端部２１の挿入量を調整するようにしたが、先セル４とテンプル２とが離間しないようにして該先端部２１の挿入量を調整するようにしてもよい。
【００１９】
また、先セル４には、耳の裏側に当接可能な耳当て部材４３が着脱可能に設けられている。さらに説明すると、先セル４には、耳当接側部分の幅方向両端部において耳当接側に延びる左右一対の支持部４４が設けられており、該左右一対の支持部４４には、耳当て部材４３をビス８により固定するためのビス穴４４ａがそれぞれ形成されている。
【００２０】
耳当て部材４３には、長手方向Ｘの略中央部において耳当接側とは反対側から延設される延設部４３ａが設けられている。この延設部４３ａには、前記ビス８が貫通する貫通孔が形成されている。これにより、ビス８を延設部４３ａの前記貫通孔を通して支持部４４のビス穴４４ａに取り付けることで、耳当て部材４３を先セル４に着脱可能に固着することができる。
【００２１】
以上説明した眼鏡フレーム１０によれば、テンプル２の先端部２１において側方に突出した突出部２１ａが形成されており、先セル４の基端部４１においてテンプル２の先端部２１を挿入する挿入穴４２が形成されており、挿入穴４２には、テンプル２の先端部２１が挿入される際に該先端部２１における突出部２１ａを係止する係止部４２ａが該先端部２１の挿入量調整可能に形成されているので、テンプル２の先端部２１が先セル４の挿入穴４２に挿入される際にユーザの鼻部と耳部との間の距離に合う位置にテンプル２の突出部２１ａを先セル４における挿入穴４２の係止部４２ａに係止することができ、これにより、ユーザの鼻部と耳部との間の距離に合わせて良好に調整することができる。
【００２２】
また、先セル４には、耳の裏側に当接可能な耳当て部材４３が着脱可能に設けられているので、この耳当て部材４３について、形状が互いに異なる複数の耳当て部材を予め用意しておくことで、該予め用意された複数の耳当て部材の中から、ユーザの耳の形状に合った耳当て部材４３を適宜選択することができる。
【図面の簡単な説明】
【００２３】
【図１】図１は、本考案の実施形態に係る眼鏡フレームの概略構成を示す斜視図である。
【図２】図２は、図１に示す眼鏡フレームにおいてテンプルから先セルを取り外した状態の該先セル、及び該テンプルの先セル側部分を示す概略拡大図であって、図２（Ａ）にその側面図を、図２（Ｂ）にその平面図を示す。
【符号の説明】
【００２４】
２…テンプル  ４…先セル  １０…眼鏡フレーム  ２１…先端部  ２１ａ…突出部  
４１…基端部  ４２…挿入穴  ４２ａ…係止部  ４３…耳当て部材  
【図１】
0003107987.tif 000003
【図２】
0003107987.tif 000004